(57)【要約】      （修正有）【課題】モバイル装置のタッチスクリーンに精確に貼り付けることができ、そして貼り付けられた後、保護フィルムとモバイル装置のタッチスクリーンの間に泡が存在しないモバイル装置用保護フィルム貼付装置を提供する。【解決手段】定位台部材、保護フィルム貼り付け装置５０、定位ユニット３０及び定位合せユニット６０を有する。定位台部材は、モバイル装置と保護フィルムとを定位するためのものであり、定位ユニット３０は定位台部材に設けられ、保護フィルム貼り付け装置５０は、定位部５１と、保護フィルム５２と、離型層と、三角形分離器５４と、から構成され、定位部５１の一端には、定位ユニット３０に合せて定位可能な定位合せユニット６０が設けられ、定位部５１の他端が保護フィルムの一面に分離可能に粘着されており、保護フィルムの他面は離型層の一面に分離可能に粘着されている。【選択図】図１
0003180690.tif 000002
【実用新案登録請求の範囲】
【請求項１】
定位台部材、保護フィルム貼り付け装置、定位ユニット及び定位合せユニットに合せて、保護フィルムをモバイル装置のスクリーンに貼付可能であり、前記定位台部材は、前記モバイル装置と前記保護フィルムとを定位するためのものであり、前記定位ユニットは前記定位台部材に設けられたモバイル装置用保護フィルム貼付装置において、
前記保護フィルム貼り付け装置は、定位部と、前記保護フィルムと、離型層と、三角形分離器と、から構成され、
前記定位部の一端には、前記定位ユニットに合せて定位可能な前記定位合せユニットが設けられ、
前記定位部の他端が前記保護フィルムの一面に分離可能に粘着されており、
前記保護フィルムの他面は前記離型層の一面に分離可能に粘着されており、
前記離型層の他面は前記三角形分離器に固定され、
前記三角形分離器には、連接円弧角が、前記定位部に向くように設けられ、
前記三角形分離器の前記連接円弧角を押圧することにより、前記三角形分離器が反転されると共に、前記離型層が前記保護フィルムから分離することを特徴とする、
モバイル装置用保護フィルム貼付装置。
【請求項２】
前記保護フィルムは、外面と、貼付面と、を有し、前記定位部は前記保護フィルムの前記外面に粘着され、前記保護フィルムの前記貼付面は、前記離型層に分離可能に粘着され、前記離型層は、離型貼付面と、離型層外面と、を有し、前記離型貼付面が前記保護フィルムの前記貼付面に分離可能に粘着されることを特徴とする、請求項１に記載のモバイル装置用保護フィルム貼付装置。
【請求項３】
前記三角形分離器は、支持面を含み、前記離型層外面の前記定位部に近接する一端に設けられ、前記支持面の両端から、第１押付面と、第２押付面と、が延びており、前記第１押付面と前記第２押付面の間に前記連接円弧角が設けられ、前記第１押付面は、前記離型層外面の前記定位部に近接する一端に固定され、前記連接円弧角が前記定位部に向いていることを特徴とする、請求項２に記載のモバイル装置用保護フィルム貼付装置。
【請求項４】
前記定位台部材は、台座と、モバイル装置定位台と、を含み、前記台座は台座収容空間を有し、前記台座収容空間の隣に基準平面が設けられ、前記モバイル装置定位台はベースに定位台収容空間を設けて構成され、前記ベースの輪郭は前記台座の前記定位台収容空間に対応して成形され、前記モバイル装置定位台は、前記台座の前記台座収容空間に収容可能であり、前記基準平面に合せ、前記定位台収容空間は、前記モバイル装置の輪郭に対応して成形され、前記モバイル装置を収容可能であることを特徴とする、請求項１に記載のモバイル装置用保護フィルム貼付装置。
【請求項５】
前記定位ユニットは前記台座に設けられ、前記定位合せユニットにより、前記保護フィルム貼り付け装置が前記台座の前記定位ユニットに定位され、これにより、前記モバイル装置の前記スクリーンに前記保護フィルムを位置合せ可能であることを特徴とする、請求項４に記載のモバイル装置用保護フィルム貼付装置。
【請求項６】
前記定位ユニットは前記モバイル装置定位台に設けられ、前記定位合せユニットにより、前記保護フィルム貼り付け装置が前記モバイル装置定位台の前記定位ユニットに定位され、これにより、前記モバイル装置の前記スクリーンに前記保護フィルムを位置合せ可能であることを特徴とする、請求項４に記載のモバイル装置用保護フィルム貼付装置。
【請求項７】
前記台座と前記モバイル装置定位台とには、前記定位ユニットがそれぞれ設けられ、前記定位合せユニットにより、前記保護フィルム貼り付け装置が前記定位ユニットに定位され、これにより、前記モバイル装置の前記スクリーンに前記保護フィルムを位置合せ可能であることを特徴とする、請求項４に記載のモバイル装置用保護フィルム貼付装置。
【請求項８】
前記定位ユニットは複数の窪みであり、前記定位合せユニットは前記窪みに対応して成形される突起であることを特徴とする、請求項１に記載のモバイル装置用保護フィルム貼付装置。
【請求項９】
前記定位ユニットは複数の突起であり、前記定位合せユニットは前記突起に対応して成形される窪みであることを特徴とする、請求項１に記載のモバイル装置用保護フィルム貼付装置。
【請求項１０】
前記台座の前記台座収容空間の底部には、第１貫通部と、複数の第２貫通部と、が設けられ、前記モバイル装置定位台の前記定位台収容空間の底部には、定位台貫通部が設けられ、前記定位台貫通部の位置は前記台座の前記第１貫通部の位置に対応することを特徴とする、請求項４に記載のモバイル装置用保護フィルム貼付装置。
【請求項１１】
前記台座には、更に、二つの側面が成形され、二つの前記側面は前記基準平面から突出しており、前記台座の一面の両側には、更に、サイド翼がそれぞれ成形され、前記台座の二つの前記サイド翼の間にローラ装置が収容されていることを特徴とする、請求項４に記載のモバイル装置用保護フィルム貼付装置。
【考案の詳細な説明】
【技術分野】
【０００１】
本考案は、保護フィルムを貼り付けるための補助装置であるモバイル装置用保護フィルム貼付装置に関するものである。
【背景技術】
【０００２】
モバイル装置とタッチコントロール形態との普及に従って、携帯時、又はモバイル装置のタッチスクリーンを使用するときに、タッチスクリーンを損傷することを回避するために、モバイル装置のタッチスクリーンに保護フィルムを貼り付けることが一般となった。一般の保護フィルムは、手作業によりモバイル装置のタッチスクリーンに貼り付けられるが、モバイル装置のタッチスクリーンに精確に貼り付けることが困難であり、貼り付けられた後、保護フィルムとモバイル装置のタッチスクリーンの間に泡が存在しやすい問題があった。
【考案の概要】
【考案が解決しようとする課題】
【０００３】
本考案の主な目的は、モバイル装置のタッチスクリーンに精確に貼り付けることができ、そして貼り付けられた後、保護フィルムとモバイル装置のタッチスクリーンの間に泡が存在しないモバイル装置用保護フィルム貼付装置を提供することにある。
【課題を解決するための手段】
【０００４】
本考案のモバイル装置用保護フィルム貼付装置によると、定位台部材、保護フィルム貼り付け装置、定位ユニット及び定位合せユニットに合わせて、保護フィルムをモバイル装置のスクリーンに貼付可能なモバイル装置用保護フィルム貼付装置において、定位台部材は、モバイル装置と保護フィルムとを定位するためのものであり、定位ユニットは定位台部材に設けられ、保護フィルム貼り付け装置は、定位部と、保護フィルムと、離型層と、三角形分離器と、から構成され、定位部の一端には、定位ユニットに合せて定位可能な定位合せユニットが設けられ、定位部の他端が保護フィルムの一面に分離可能に粘着されており、保護フィルムの他面は離型層の一面に分離可能に粘着されており、離型層の他面は三角形分離器に固定され、三角形分離器は、連接円弧角を定位部に向くように設けられ、三角形分離器の連接円弧角を押圧することにより、三角形分離器が反転されると共に、離型層が保護フィルムから分離することを特徴とする。
【０００５】
本考案のモバイル装置用保護フィルム貼付装置によると、保護フィルムは、外面と、貼付面と、を有し、定位部は保護フィルムの外面に粘着され、保護フィルムの貼付面は、離型層に分離可能に粘着され、離型層は、離型貼付面と、離型層外面と、を有し、離型貼付面が保護フィルムの貼付面に分離可能に粘着されることを特徴とする。
【０００６】
本考案のモバイル装置用保護フィルム貼付装置によると、三角形分離器は、支持面を含み、離型層外面の定位部に近接する一端に設けられ、支持面の両端から、第１押付面と、第２押付面と、が延びており、第１押付面と第２押付面の間に連接円弧角が設けられ、第１押付面は、離型層外面の定位部に近接する一端に固定され、連接円弧角が定位部に向いていることを特徴とする。
【０００７】
本考案のモバイル装置用保護フィルム貼付装置によると、定位台部材は、台座と、モバイル装置定位台と、を含み、台座は台座収容空間を有し、台座収容空間の隣に基準平面が設けられ、モバイル装置定位台はベースに定位台収容空間を設けて構成され、ベースの輪郭は台座の定位台収容空間に対応して成形され、モバイル装置定位台は、台座の台座収容空間に収容され可能であり、基準平面に合せ、定位台収容空間は、モバイル装置の輪郭に対応して成形され、モバイル装置を収容可能であることを特徴とする。
【０００８】
本考案のモバイル装置用保護フィルム貼付装置によると、定位ユニットは台座に設けられ、定位合せユニットにより、保護フィルム貼り付け装置が台座の定位ユニットに定位され、これにより、モバイル装置のスクリーンに保護フィルムを位置合せ可能であることを特徴とする。
【０００９】
本考案のモバイル装置用保護フィルム貼付装置によると、定位ユニットはモバイル装置定位台に設けられ、定位合せユニットにより、保護フィルム貼り付け装置がモバイル装置定位台の定位ユニットに定位され、これにより、モバイル装置のスクリーンに保護フィルムを位置合せ可能であることを特徴とする。
【００１０】
本考案のモバイル装置用保護フィルム貼付装置によると、台座とモバイル装置定位台とには、定位ユニットがそれぞれ設けられ、定位合せユニットにより、保護フィルム貼り付け装置が定位ユニットに定位され、これにより、モバイル装置のスクリーンに保護フィルムを位置合せ可能であることを特徴とする。
【００１１】
本考案のモバイル装置用保護フィルム貼付装置によると、定位ユニットは複数の窪みであり、定位合せユニットは窪みに対応して成形される突起であることを特徴とする。
【００１２】
本考案のモバイル装置用保護フィルム貼付装置によると、定位ユニットは複数の突起であり、定位合せユニットは突起に対応して成形される窪みであることを特徴とする。
【００１３】
本考案のモバイル装置用保護フィルム貼付装置によると、台座の台座収容空間の底部には、第１貫通部と、複数の第２貫通部と、が設けられ、モバイル装置定位台の定位台収容空間の底部には、定位台貫通部が設けられ、定位台貫通部の位置は台座の第１貫通部の位置に対応することを特徴とする。
【００１４】
本考案のモバイル装置用保護フィルム貼付装置によると、台座には、更に、二つの側面が成形され、二つの側面は基準平面から突出しており、台座の一面の両側には、更に、サイド翼がそれぞれ成形され、台座の二つのサイド翼の間にローラ装置が収容されていることを特徴とする。
【考案の効果】
【００１５】
本考案のモバイル装置用保護フィルム貼付装置によれば、保護フィルムをモバイル装置のタッチスクリーンに精確に貼り付けることができ、そして貼り付けられた後、保護フィルムとモバイル装置のタッチスクリーンの間に泡が存在しないという効果を有する。
【図面の簡単な説明】
【００１６】
【図１】本考案の一実施例が台座、定位台、定位ユニット及び定位合せユニットに合せて使用する状態を示す分解斜視図であって、定位ユニットは台座と定位台とにそれぞれ設けられる。
【図２】本考案の一実施例の構成を示す平面図であって、離型層と保護フィルムが一部に分離されている状態を示す。
【図３】本考案の一実施例が台座、定位台、定位ユニット及び定位合せユニットに合せて使用する状態を示す斜視図であって、定位ユニットは台座と定位台とにそれぞれ設けられる。
【図４Ａ】本考案の一実施例が台座、定位台、定位ユニット及び定位合せユニットに合せて使用する状態を示す断面図であって、定位ユニットは台座と定位台とにそれぞれ設けられる。
【図４Ｂ】図４Ａの一部の拡大図である。
【図５】本考案の一実施例が台座、定位台、定位ユニット及び定位合せユニットに合せて使用する動作を示す模式図である。
【図６】本考案の一実施例が台座、定位台、定位ユニット及び定位合せユニットに合せて使用する動作を示す模式図である。
【図７】本考案の一実施例が台座、定位台、定位ユニット及び定位合せユニットに合せて使用する動作を示す模式図である。
【図８】本考案の一実施例が台座、定位台、定位ユニット及び定位合せユニットに合せて使用する動作を示す模式図である。
【図９】本考案の一実施例に合せて使用する定位ユニットが台座だけに設けられる状態を示す分解斜視図である。
【図１０】本考案の一実施例に合せて使用する台座には、更に、ローラ装置が設けられる構成を示す斜視図である。
【図１１】本考案の一実施例がローラ装置に合せて使用する状態を示す斜視図である。
【考案を実施するための形態】
【００１７】
以下、本考案の実施の形態を図面に基づいて説明する。
本考案の一実施例は、図２乃至図１１に示すように、手動、又はローラ装置４０に合せて、モバイル装置ＡのスクリーンＡに保護フィルム貼り付け装置５０の保護フィルム５２を貼付け、そして定位台部材、定位ユニット３０及び定位合せユニット６０に合せて、モバイル装置ＡのスクリーンＡ１に保護フィルム貼り付け装置５０の保護フィルム５２を快速で精確に貼付け可能である。
【００１８】
前記定位台部材は、台座１０と、モバイル装置定位台２０と、を含む。台座１０は、台座収容空間１１と、二つの側面１２と、を有する。台座収容空間１１の隣に基準平面１３が設けられる。二つの側面１２は基準平面１３から突出している。台座１０の一面の両側には、更に、サイド翼１４がそれぞれ成形される。台座収容空間１１の底部には、第１貫通部１１１と、複数の第２貫通部１１２と、が設けられる。
【００１９】
モバイル装置定位台２０は、ベース２１に定位台収容空間２２を設けて構成される。ベース２１の輪郭は台座１０の定位台収容空間１１の輪郭に対応して成形される。モバイル装置定位台２０は、台座１０の台座収容空間１１に収容され可能であり、基準平面１３に合せられる。定位台収容空間２２は、異なるブランドや寸法のモバイル装置Ａの輪郭に対応して成形可能であり、モバイル装置Ａを収容可能である。定位台収容空間２２の底部には、定位台貫通部２２１が設けられる。定位台貫通部２２１の位置は台座１０の第１貫通部１１１の位置に対応する。
【００２０】
定位ユニット３０は、台座１０、又はモバイル装置定位台２０に設けられ、或いは台座１０とモバイル装置定位台２０とにそれぞれ設けられる。定位ユニット３０は複数の窪み３１である。
【００２１】
保護フィルム貼り付け装置５０は、定位部５１と、保護フィルム５２と、離型層５３と、三角形分離器５４と、から構成される。定位部５１の一端には、定位ユニット３０に対応する定位合せユニット６０が設けられる。定位部５１の他端は保護フィルム５２の一面に分離可能に粘着されている。保護フィルム５２は、外面５２１と、貼付面５２２と、を有する。定位部５１は保護フィルム５２の外面５２１に粘着される。保護フィルム５２の貼付面５２２は、離型層５３に分離可能に粘着される。離型層５３は、離型貼付面５３１と、離型層外面５３２と、を有し、保護フィルム５２と同じ外観及び寸法に成形される。
離型貼付面５３１は保護フィルム５２の貼付面５２２に分離可能に粘着される。三角形分離器５４は、支持面５４１を含み、離型層外面５３２の定位部５１に近接する一端に設けられ、支持面５４１の両端から、第１押付面５４２と、第２押付面５４３と、が延びている。第１押付面５４２と第２押付面５４３の間に連接円弧角５４４が設けられる。第１押付面５４２は、離型層外面５２２の定位部５１に近接する一端に固定される。連接円弧角５４４は定位部５１に向いている。
【００２２】
定位合せユニット６０は、窪み３１の輪郭に対応する突起６１であるが、もちろん、定位ユニット３０を突起形態にして、定位合せユニット６０を窪み形態にすることもよい。定位合せユニット６０により、保護フィルム貼り付け装置５０が定位ユニット３０に定位され、これにより、モバイル装置定位台２０の定位台収容空間２２に保護フィルム貼り付け装置５０の保護フィルム５２を対応でき、そしてモバイル装置ＡのスクリーンＡ１に保護フィルム貼り付け装置５０の保護フィルム５２を直接に位置合せ可能である。
【００２３】
次に、本考案の一実施例の使用方法を説明する。まず、保護フィルム貼り付け装置５０の保護フィルム５２を貼り付けたいモバイル装置Ａに対応するモバイル装置定位台２０を選択して、モバイル装置定位台２０の定位台収容空間２２にモバイル装置Ａを入れる。定位台収容空間２２がモバイル装置Ａに対応するため、モバイル装置Ａが定位台収容空間２２に収容された後、モバイル装置Ａは基準平面１３に合っており、そしてモバイル装置ＡのスクリーンＡ１も台座１０の基準平面１３に合っている。
次に、定位合せユニット６０により、台座１０又はモバイル装置定位台２０に保護フィルム貼り付け装置５０を定位する。モバイル装置Ａが属するモバイル装置定位台２０に定位ユニット３０が設けられているときには、図１に示すように、モバイル装置定位台２０の定位ユニット３０に保護フィルム貼り付け装置５０を定位できる。
【００２４】
異なるモバイル装置Ａの態様が互いに異なるため、モバイル装置定位台２０に定位ユニット３０を設けなくてもよい。すなわち、定位ユニット３０を台座１０に設けるだけで、図８に示すように、台座１０の定位ユニット３０に保護フィルム貼り付け装置５０を定位することができるため、正確な位置に保護フィルム貼り付け装置５０の保護フィルム５２を精確に定位できる。
【００２５】
保護フィルム貼り付け装置５０の使用方法は、まず。定位部５１により位置を固定して、三角形分離器５４をモバイル装置Ａに寄り付けて、三角形分離器５４の第２押付面５４３をモバイル装置Ａに寄り付けることにより、保護フィルム５２と離型層５３とは、三角形分離器５４の輪郭に沿ってモバイル装置Ａをカバーするが、モバイル装置Ａに直接に貼り付けられない。
【００２６】
ユーザは、手動で保護フィルム貼り付け装置５０を操作し、図５及び図６に示すように、三角形分離器５４の連接円弧角５４４に対応するように定位部５１を押付けて、三角形分離器５４の連接円弧角５４４が力を受けて三角形分離器５４が反転する。三角形分離器５４が反転するときには、三角形分離器５４の第１押付面５４２と第２押付面５４３とが反転する。
すなわち、図７に示すように、第２押付面５４３の代りに第１押付面５４２がモバイル装置Ａに押付けると共に、第１押付面５４２に粘着されている離型層５３も反転する。保護フィルム５２が定位部５１によって定位されるため、離型層５３は保護フィルム５２から徐々に分離する。なお、本考案の一実施例を操作しているときには、ユーザが保護フィルム５２の外面５２１を押付けて、離型層５３の離脱に従ってモバイル装置Ａに保護フィルム５２を持続的に押付ける。離型層５３が保護フィルム５２から完全に離脱するときには、モバイル装置Ａに保護フィルム５２を泡が存在しなく貼り付けることができる。
【００２７】
本考案の保護フィルム貼り付け装置５０の構成に、定位ユニット３０と定位合せユニット６０とを合せて、保護フィルム貼り付け装置５０の定位部５１を定位することにより、保護フィルム貼り付け装置５０の保護フィルム５２の位置を正確な位置に固定して保護フィルム５２を貼り付けることがでる。
そして三角形分離器５４の補助により、保護フィルム５２が離型層５３から快速に離脱できる。このように、ユーザは保護フィルム５２を快速で正確に貼り付けることができ、保護フィルム５２の貼付の困難さを大幅に軽減でき、保護フィルム５２の貼付が容易になる。
【００２８】
また、モバイル装置定位台２０又はモバイル装置Ａを脱着したいときには、その輪郭に対応する台座収容空間１１及び定位台収容空間２２により、組付作業を精確で便利に行える。
モバイル装置定位台２０を取出したいときには、台座収容空間１１にある第２貫通部１１２に、ユーザが指を挿通してモバイル装置定位台２０を押出すことで、モバイル装置定位台２０を取り出して交換できる。
なお、モバイル装置Ａを取出したいときには、ユーザが指を第１貫通部１１１と定位台貫通部２２１とに挿通してモバイル装置Ａを押出すことで、モバイル装置Ａを取り出して交換でき、操作が極めて便利である。
【００２９】
また、本考案の保護フィルム貼り付け装置５０は、更に、ローラ装置４０を補助装置として保護フィルムを貼り付けることができる。図１０及び図１１に示すように、台座１０の二つのサイド翼１４の間にローラ装置４０が収容されており、ユーザは状況を見てローラ装置４０を取出して使用できろ。
また、ローラ装置４０を使用しないときには、ローラ装置４０を台座１０に収納できる。ローラ装置４０の補助により、保護フィルム貼り付け装置５０をモバイル装置ＡのスクリーンＡ１に滑らかに押付けることができ、且つローラ装置４０は台座１０の二つの側面１２の間だけに移動可能であるため、操作の便利性を増加できる。
【００３０】
本考案では、モバイル装置定位台２０と台座１０が別体であり、モバイル装置定位台２０に、異なるモバイル装置Ａに対応する定位台収容空間２２を設けることができ、そして定位ユニット３０が配されるため、多種のモバイル装置Ａに適用できる。
【符号の説明】
【００３１】
１０：台座
１１：台座収容空間
１２：側面
１３：基準平面
１４：サイド翼
２０：モバイル装置定位台
２１：ベース
２２：定位台収容空間
３０：定位ユニット
３１：窪み
４０：ローラ装置
５０：保護フィルム貼り付け装置
５１：定位部
５２：保護フィルム
５３：離型層
５４：三角形分離器
６０：定位合せユニット
６１：突起
１１１：第１貫通部
１１２：第２貫通部
２２１：定位台貫通部
５２１：外面
５２２：貼付面
５３１：離型貼付面
５３２：離型層外面
５４１：支持面
５４２：第１押付面
５４３：第２押付面
５４４：連接円弧角
Ａ：モバイル装置
Ａ１：スクリーン
【図１】
0003180690.tif 000003
【図２】
0003180690.tif 000004
【図３】
0003180690.tif 000005
【図４Ａ】
0003180690.tif 000006
【図４Ｂ】
0003180690.tif 000007
【図５】
0003180690.tif 000008
【図６】
0003180690.tif 000009
【図７】
0003180690.tif 000010
【図８】
0003180690.tif 000011
【図９】
0003180690.tif 000012
【図１０】
0003180690.tif 000013
【図１１】
0003180690.tif 000014